(57)【要約】      （修正有）【課題】鉛電池（バッテリー）の充電装置と、自動車搭載鉛電池（バッテリー）に容易に取り付けることができる充電延命再生システム装置器を提供する。【解決手段】鉛電池（バッテリー）用充電装置の出力端子＋側に高周波装置５の出力をコンデンサーとダイオード１４によって、充電電流と高周波電流を逆流しないように分流させるようにされたことにより、充電装置と自動車搭載鉛電池（バッテリー）の充電延命再生システム装置器１１を容易に取り付ける様に構成する。【選択図】図１
2008135352.tif 000002
【特許請求の範囲】
【請求項１】
通常の鉛電池バッテリー充電装置に、高周波発信装置を搭載した鉛電池の再生充電装置。
【請求項２】
自動車搭載中の鉛電池バッテリーに、高周波発信機装置を固定搭載した鉛電池の再生装置。
【請求項３】
再生充電装置に高周波発信装置を接続させる方法に関する電子回路装置
【発明の詳細な説明】
【技術分野】
【０００１】  本発明は、鉛電池の残量検知装置と、充電電流装置に２０ＫＨＺ、１２ＶＰＰの高周波を結合させて、再生充電を行うシステム装置に関するものである。
【背景技術】
【０００２】  鉛電池の電圧を電極より受入し、自動検知する抵抗とダイオードを組み合わせた集積回路のＡ／Ｄ変換回路で鉛電池の良、不良をデジタル表示判定し、その良のみを充電電流に高周波２０ＫＨＺ、１２ＶＰＰ同調させて充電をする。【０００３】  その高周波充電された鉛電池に充電経過後に、鉛電池の電圧による１２Ｖ以上１４．５Ｖ以下のデジタル表示判定手段を配置して構成したことを特微とする装置に関する。
【特許文献１】特許出願平１０−２０９２６２号広報
【非特許文献１】トランジスタ技術編集部著「実用電子回路ハンドブック」ＣＱ出版社
【発明の開示】
【発明が解決しようとする課題】
【０００４】  解決しようとする門題点は、鉛電池の自然放電による劣化と使用による劣化にあって従来の充電装置は、充電電圧による電流設定で充電を行っていたが、鉛電池内の硫酸による不活性な硫酸鉛よる電極鉛板に付着し鉛電池の性能を妨げていた、その不活性な硫酸鉛を取除くことを施す点である。【０００５】  本発明は、蓄電池の極板に発生する硫酸鉛沈殿物を低減することができる鉛電池の充電延命再生システム装置に関し、車両の蓄電池（バッテリー）に容易に接続することができるコネクタ付きの鉛電池の充電延命再生システム装置器に関する。
【課題を解決するための手段】
【０００６】  一般に鉛蓄電池は、使用中に発生した硫酸沈殿物が、海綿体極板及び酸化鉛極板に付着し、結晶化してイオンの流れを阻害し、蓄電池の電力発生効率を低下させると言う特性を持っている。【０００７】  この硫酸鉛を除去するために、立ち上がりの早い電圧パルスを蓄電池の電極に与えることにより、極板表面に付着した硫酸鉛を剥離するが提案されている。【０００８】  この鉛電池の充電延命再生システム装置器の鉛蓄電池への接続は、蓄電池の負電極に電力供給ケーブルを挟み止めし、該電力供給ケーブルの末端のコネクターに充電用正極の電圧源側のコネクタを嵌合することにより行われる。【０００９】  前記従来技術による鉛電池の充電再生システム装置器は、例えば、端子をハンダ付けしている蓄電池から漏れる腐食性のガスにより腐食し、この腐食を防ぐために定期的にグリースを端子部分に塗る等のメンテナンスが必要であると言う不具合もある。【００１０】  本発明の目的は、前記従来技術による不具合を除去することであり、自動車搭載装置用の鉛蓄電池に容易に取り付けられる鉛電池の充電延命再生システム装置器を提供することであるとどうじに、鉛電池の充電延命再生システム装置に高周波発信装置を接続させる方法に関しての最良の形態を提供することである。
【課題を解決するための手段】
【００１１】  前記目的を達成するため本発明は、蓄電池の極板に電流パルスを与えることにより極板表面に付着した硫酸鉛を剥離する回路を内蔵する鉛電池の充電延命再生システム装置器において、蓄電池の接続ケーブルのコネクター端子と嵌合する端子と、充電側の電源ケーブルのコネクター端子と嵌合する端子とを鉛蓄電池  活性器（電子回路）の回路と一体的に固定したことを特徴とする。【００１２】  また本発明は、前記鉛蓄電池活性器（電子回路）において、前記電流パルスが充電側の電源ケーブルのコネクター端子に出力されるのを阻止する高電流対応のダイオードを設けたことを第２の特徴とする。
【発明の効果】
【００１３】  以下、本発明を実施するための最良の利用形態による鉛電池の充電延命再生システム装置器の図面を参照して詳細に説明する。
図１は本実施形態による鉛電池の充電延命再生システム装置器１１と、図示しない蓄電池と接続される電力供給ケーブルのコネクター１２、１３と、図示しないＤＣ電源側のケーブルに接続されるコネクターとを示す図である。【００１４】  本実施するための最良の利用形態による充電延命再生システム装置器は、内部に端子１２，１３を介して供給されるＤＣ電源の両側に接続する蓄電池の放電漏れ電流値より大きく、且つ立ち上がりの速い電流パルスをコンデンサーに発生して酸化鉛蓄電池に与えるトランジスターを含む高周波回路とを備え、電圧源から供給される電流をコンデンサーの放電により、蓄電池の放電漏れ電流値より大きく、且つ立ち上がりの速い電流パルスを端子１２，１３を介して出力する様に構成している。尚、本願発明の対象となる充電延命再生システム装置器は、前記構成に限られるものではない。【００１５】  前記コネクターは、ケーブルを介してＤＣ電源と接続する端子（図示せず）と、通常はコネクター１２，１３の端子と嵌合して充電電力を蓄電池に供給するための端子とを備える。【００１６】  さて、本実施形態による充電延命再生システム装置器１１は、前記内部の回路構成に加え、電源側のコネクターの端子と接続するための端子と、蓄電池側のコネクターの端子と接続するための端子とを充電延命再生システム装置器本体の両側に一体的に形成している。【００１７】  この充電延命再生システム装置器１１の内部回路は、図１に示す如く、前述の様にＤＣ電圧源と、該ＤＣ電圧源の両側に接続されたコンデンサーと、前記コンデンサーを断続することにより、蓄電池の放電漏れ電流値より大きく、且つ立ち上がりの速い電流パルスを酸化鉛蓄電池に与えるトランジスターを含む高周波出力回路５と、該スイッチング回路５から発生する電流パルスが車両側に伝わるのを防止するためのパルスフィルターとを備える。従って図１中の右側に接続される正負極端子（＋，−）が図１のコネクター１２，１３に相当し、この端子には充電時のＤＣ電源又は車両の電気回路に接続される。【００１８】  この様に構成した本実施形態による充電延命再生システム装置器図１１は、充電側のケーブルに接続したコネクターの端子に嵌合すると共に、蓄電池側のケーブルに接続したコネクターの端子に嵌合することにより、蓄電池に対し、電源からの充電が行われると共に充電延命再生システム装置器図１１が蓄電池の放電漏れ電流値より大きく、且つ立ち上がりの速い電流パルスが端子１２，１３から蓄電池の極板に与えることにより、この極板表面に付着した硫酸鉛を剥離することができる。【００１９】  この充電延命再生システム装置器図１１は、前述の様に車両又は充電電源側に逆起ダイオード１４を設けているため、高周波出力回路５から発生する活性用の電流パルスを蓄電池のみに供給し、車両又は充電電源側への供給を阻止しているため、例えば前記電流パルスが車両の電気回路に影響して何らかの障害が発生する可能性を防止することもできる。【００２０】  また本実施形態による充電延命再生システム装置器は、ハンダ付けを行うことなく蓄電池に容易に接続できるため、腐食対策用のメンテナンスを行う必要がないと言う効果も奏する。
【発明を実施するための最良の利用形態】
以上述べた如く本発明による蓄電池充電延命再生システム装置器は、蓄電池充電延命再生システム装置器の接続ケーブルのコネクター端子と  嵌合する端子と、充電側の電源ケーブルのコネクター端子と嵌合する端子とを鉛蓄電地充電延命再生システム装置器の回路と一体的に固定したことにより、鉛蓄電地充電延命再生システム装置器を鉛蓄電池に容易に取り付けることができる。
【図面の簡単な説明】
【００２１】
【図１】当発明に係る充電延命再生システム装置の実施例の機構動作配置図。
【図２】当発明に係る充電延命再生システム装置の内、請求項２よる改良を加えた機構動作配置図。
【符号の説明】
１    回路温度検知回路
２    制御ライン
３    高周波回路                      １５  低圧電源回路
４    低圧電源供給ライン              １６  高周波回路
５    高周波出力回路                  １７  高周波信号ライン
６    低圧直流電源回路                １８  バッテリーグランド出力
７    高周波信号ライン                １９  高周波出力回路
８    電位差検知回路                  ２０  バッテリー取付端子＋
９    制御ライン                      ２１  バッテリー取付端子−
１０  高周波ライン                    ２２  温度制御ライン
１１  充電延命再生システム装置        ２３  ノイズフィルター
１２  バッテリーグランド出力
１３  バッテリー低圧直流出力
１４  高電圧ダイオード
【図１】
2008135352.tif 000003
【図２】
2008135352.tif 000004